(57)【要約】【課題】  浴室内に衣類が存在する可能性がある場合に、浴室内に水分を供給する浴室運転が実行されることを抑制することができる技術を提供する。【解決手段】  浴室システムは、浴室制御システムと、携帯端末と、を備える。浴室制御システムは、浴室乾燥装置と、浴室装置と、コントローラと、を備えている。コントローラは、衣類乾燥運転を実行可能であり、衣類乾燥運転が終了する場合に、衣類乾燥運転が終了したことを示す終了情報を記憶し、浴室運転を実行可能であり、携帯端末から、浴室運転の実行を要求するための運転要求を受信可能であり、終了情報が記憶されている状態において、携帯端末から運転要求を受信する場合に、浴室運転を実行することなく、衣類存在情報を携帯端末に送信する。携帯端末は、端末操作部と、要求送信部と、運転要求をコントローラに送信した後に、衣類存在情報をコントローラから受信する衣類存在情報受信部と、を備える。【選択図】図６
2018200154.tif 000002
【特許請求の範囲】
【請求項１】
浴室制御システムと、携帯端末と、を備える浴室システムであって、
前記浴室制御システムは、浴室乾燥装置と、浴室装置と、前記浴室乾燥装置及び前記浴室装置の動作を制御するコントローラと、を備えており、
前記コントローラは、
前記浴室乾燥装置を駆動させ、浴室内の衣類を乾燥させる衣類乾燥運転を実行可能であり、
前記衣類乾燥運転が終了する場合に、前記衣類乾燥運転が終了したことを示す終了情報を記憶し、
前記浴室装置を駆動させ、前記浴室内に水分を供給する浴室運転を実行可能であり、
前記携帯端末から、前記浴室運転の実行を要求するための運転要求を受信可能であり、
前記終了情報が記憶されている状態において、前記携帯端末から前記運転要求を受信する場合に、前記浴室運転を実行することなく、前記浴室内に衣類が存在している可能性があることを示す衣類存在情報を前記携帯端末に送信し、
前記携帯端末は、
前記運転要求を前記コントローラに送信するための要求送信操作を受け付ける端末操作部と、
ユーザによって前記要求送信操作が前記端末操作部に実行される場合に、前記運転要求を前記コントローラに送信する要求送信部と、
前記運転要求を前記コントローラに送信した後に、前記衣類存在情報を前記コントローラから受信する衣類存在情報受信部と、を備えている、
浴室システム。
【請求項２】
前記浴室装置は、前記浴室内の温水利用箇所に供給される水を加熱する熱源機であり、
前記浴室運転は、前記水を加熱し、前記温水利用箇所に加熱された前記水を供給する温水供給運転である、請求項１に記載の浴室システム。
【請求項３】
前記終了情報は、前記ユーザの終了操作に応じて前記衣類乾燥運転が終了したことを示す第１の終了情報と、前記衣類乾燥運転の終了条件を満たしたことにより前記衣類乾燥運転が自動的に終了したことを示す第２の終了情報と、のうちのいずれかの情報であり、
前記コントローラは、
前記第１の終了情報が記憶されている状態において、前記携帯端末から前記運転要求を受信する場合に、前記浴室運転を実行し、
前記第２の終了情報が記憶されている状態において、前記携帯端末から前記運転要求を受信する場合に、前記浴室運転を実行することなく、前記衣類存在情報を前記携帯端末に送信する、請求項１または２に記載の浴室システム。
【請求項４】
前記浴室システムは、さらに、前記浴室内の湿度を検知する湿度検知部を備えており、
前記コントローラは、
前記湿度を所定周期毎に取得し、
前記第１の終了情報が記憶されている状態において、前記携帯端末から前記運転要求を受信し、かつ、前記第１の終了情報を受信してから前記運転要求を受信するまでの間に取得した前記湿度の最大湿度が所定湿度を超えていると判断する場合に、前記浴室運転を実行することなく、前記衣類存在情報を前記携帯端末に送信する、請求項３に記載の浴室システム。
【発明の詳細な説明】
【技術分野】
【０００１】
本明細書に開示する技術は、浴室システムに関する。
【背景技術】
【０００２】
特許文献１には、浴室乾燥装置と、熱源機と、浴室乾燥装置及び熱源機の動作を制御するコントローラと、台所リモコンと、を備える浴室制御システムが開示されている。コントローラは、浴室乾燥装置を駆動させ、浴室内の衣類を乾燥させる衣類乾燥運転を実行可能であり、熱源機を駆動させ、浴室内に水分を供給する浴室運転を実行可能であり、台所リモコンから浴室運転の実行を要求するための運転要求を受信可能である。コントローラは、衣類乾燥運転を実行している状態において、運転要求を受信する場合に、浴室運転を実行しない。特許文献１の浴室制御システムによれば、乾燥中の衣類が、浴室運転の実行によって湿ってしまうことを防止することができる。
【先行技術文献】
【特許文献】
【０００３】
【特許文献１】特開２００５−１６４０７８号公報
【発明の概要】
【発明が解決しようとする課題】
【０００４】
携帯端末を利用して、熱源機に浴室内に水分を供給する浴室運転を実行させることが可能な浴室システムがある。このようなシステムにおいては、衣類乾燥運転を浴室乾燥装置に実行させるユーザと、携帯端末を利用して浴室装置に浴室運転を実行させるユーザが異なる場合がある。即ち、携帯端末のユーザが、衣類乾燥運転が実行されたことを知らない場合がある。また、衣類乾燥運転が終了した後に、浴室内に衣類が放置される場合もある。浴室内に衣類が放置されている状態で、熱源機が、携帯端末から送信される運転要求に応じて、浴室運転を実行してしまうと、乾燥が完了した衣類が湿ってしまう。
【０００５】
本明細書では、浴室内に衣類が存在する可能性がある場合に、浴室内に水分を供給する浴室運転が実行されることを抑制することができる技術を提供する。
【課題を解決するための手段】
【０００６】
本明細書に開示する浴室システムは、浴室制御システムと、携帯端末と、を備えてもよい。浴室制御システムは、浴室乾燥装置と、浴室装置と、前記浴室乾燥装置及び前記浴室装置の動作を制御するコントローラと、を備えてもよい。コントローラは、前記浴室乾燥装置を駆動させ、浴室内の衣類を乾燥させる衣類乾燥運転を実行可能であり、前記衣類乾燥運転が終了する場合に、前記衣類乾燥運転が終了したことを示す終了情報を記憶し、前記浴室装置を駆動させ、前記浴室内に水分を供給する浴室運転を実行可能であり、前記携帯端末から、前記浴室運転の実行を要求するための運転要求を受信可能であり、前記終了情報が記憶されている状態において、前記携帯端末から前記運転要求を受信する場合に、前記浴室運転を実行することなく、前記浴室内に衣類が存在している可能性があることを示す衣類存在情報を前記携帯端末に送信してもよい。前記携帯端末は、前記運転要求を前記コントローラに送信するための要求送信操作を受け付ける端末操作部と、ユーザによって前記要求送信操作が前記端末操作部に実行される場合に、前記運転要求を前記コントローラに送信する要求送信部と、前記運転要求を前記コントローラに送信した後に、前記衣類存在情報を前記コントローラから受信する衣類存在情報受信部と、を備えてもよい。
【０００７】
上記の構成によれば、浴室制御システムのコントローラは、終了情報が記憶されている状態において、携帯端末から運転要求を受信する場合に、浴室運転を実行することなく、衣類存在情報を携帯端末に送信する。このため、携帯端末のユーザは、浴室運転が実行される前に、浴室内に衣類が存在する可能性があることを知ることができる。従って、浴室内に衣類が存在する可能性がある状況で、浴室運転が実行されることを抑制することができる。
【０００８】
浴室装置は、浴室内の温水利用箇所に供給される水を加熱する熱源機であってもよい。浴室運転は、水を加熱し、温水利用箇所に加熱された水を供給する温水供給運転であってもよい。
【０００９】
浴室内の温水利用箇所に加熱された水が供給されると、加熱された水が蒸発することで、浴室内の湿度が高くなる。従って、浴室内に衣類が存在している状態において、温水供給運転が実行されると、衣類が湿ってしまう。上記の構成によると、浴室制御システムのコントローラは、終了情報が記憶されている状態において、携帯端末から運転要求を受信する場合に、温水供給運転を実行することなく、衣類存在情報を携帯端末に送信する。従って、浴室内に衣類が存在する可能性がある状況で、温水供給運転が実行されることを抑制することができる。
【００１０】
終了情報は、ユーザの終了操作に応じて衣類乾燥運転が終了したことを示す第１の終了情報と、衣類乾燥運転の終了条件を満たしたことにより衣類乾燥運転が自動的に終了したことを示す第２の終了情報と、のうちのいずれかの情報であってもよい。この場合、コントローラは、第１の終了情報が記憶されている状態において、携帯端末から運転要求を受信する場合に、浴室運転を実行し、第２の終了情報が記憶されている状態において、携帯端末から運転要求を受信する場合に、浴室運転を実行することなく、衣類存在情報を携帯端末に送信してもよい。
【００１１】
ユーザの終了操作に応じて衣類乾燥運転が終了した場合、当該ユーザによって浴室内の衣類が取り出されている可能性が高い。即ち、第１の終了情報が記憶されている場合、浴室内に衣類が放置されている可能性は比較的に低い。一方、第２の終了情報が記憶されている場合、浴室内に衣類が放置されている可能性は比較的に高い。上記の構成によると、浴室制御システムのコントローラは、浴室内に衣類が放置されている可能性が低いことを示す第１の終了情報が記憶されている状態において、携帯端末から運転要求を受信する場合に、浴室運転を実行する。従って、浴室内に衣類が存在している可能性が低い場合は、浴室運転が実行される。これにより、ユーザの利便性を向上させることができる。
【００１２】
浴室システムは、さらに、浴室内の湿度を検知する湿度検知部を備えてもよい。コントローラは、湿度を所定周期毎に取得し、第１の終了情報が記憶されている状態において、携帯端末から運転要求を受信し、かつ、第１の終了情報を受信してから運転要求を受信するまでの間に取得した湿度の最大湿度が所定湿度を超えていると判断する場合に、浴室運転を実行することなく、衣類存在情報を携帯端末に送信してもよい。
【００１３】
ユーザの終了操作に応じて衣類乾燥運転が終了した場合において、当該ユーザによって浴室内の衣類が取り出されない場合もある。例えば、浴室内の衣類の乾燥が完了する前に、衣類乾燥運転を終了させ、浴室内で自然乾燥させる場合である。この場合、衣類を自然乾燥する過程で、浴室内の湿度が高くなる。このため、コントローラは、浴室内の湿度が所定湿度を超える場合に、浴室内に衣類が存在している可能性があると判断することができる。上記の構成によると、コントローラは、第１の終了情報が記憶されている状態において、携帯端末から運転要求を受信し、かつ、最大湿度が所定湿度を超えていると判断する場合に、浴室運転を実行することなく、衣類存在情報を携帯端末に送信する。従って、第１の終了情報が記憶されており、かつ、浴室内に衣類が存在している可能性がある場合に、浴室運転が実行されることを抑制することができる。
【図面の簡単な説明】
【００１４】
【図１】実施例の浴室システムの構成図である。
【図２】実施例の浴室乾燥装置が実行する処理のフローチャートである。
【図３】実施例の熱源機が実行する処理のフローチャートである。
【図４】実施例の湯張り処理のフローチャートである。
【図５】実施例の携帯端末が実行する処理のフローチャートである。
【図６】実施例の衣類乾燥運転が自動終了する場合のシーケンス図である（ケースＡ）。
【図７】実施例の衣類乾燥運転がユーザの操作によって終了される場合のシーケンス図である（ケースＢ）。
【発明を実施するための形態】
【００１５】
（実施例）
図１を参照して、実施例に係る浴室システム２について説明する。なお、図１において、実線は、水、洗浄液など液体の経路を示し、破線は通信経路を示す。浴室システム２は、浴室制御システム４と、携帯端末２００と、を備える。浴室制御システム４と携帯端末２００は、インターネット１１０を介して、互いに通信可能である。
【００１６】
（浴室制御システム４の構成）
浴室制御システム４は、熱源機１０と、浴室洗浄装置３０と、浴室乾燥装置４０と、浴槽洗浄装置５０と、浴室リモコン８０と、第１の浴室外リモコン９０と、第２の浴室外リモコン９２と、を備える。
【００１７】
（熱源機１０の構成）
熱源機１０は、給水源から供給される水を加熱する装置である。熱源機１０は、水を加熱する電気式熱源（図示省略）を備えている。熱源機１０は、給水源から供給される水を、浴室洗浄装置３０、浴室乾燥装置４０、浴槽洗浄装置５０、浴槽７０、シャワーＳ、又は、カランＦに供給する。なお、熱源機１０は、電気式熱源の代わりにガス式熱源を備えていてもよいし、電気式熱源とガス式熱源の両方を備えていてもよい。
【００１８】
熱源機１０は、熱源機コントローラ１２を備えている。熱源機コントローラ１２は、熱源機１０の動作を制御することで、湯張り運転などを実行する。熱源機コントローラ１２は、メモリ１４を備えている。メモリ１４には、浴室Ａ内の湿度、後述する衣類乾燥運転が終了したことを示す終了情報が記憶される。
【００１９】
（湯張り運転）
湯張り運転は、浴槽７０に温水を供給するための運転である。熱源機コントローラ１２は、電気式熱源を駆動させることで、給水源から供給される水を加熱し、温水を浴槽７０に供給する。浴槽７０に所定量の温水が供給されると湯張り運転は終了する。
【００２０】
（浴室洗浄装置３０の構成）
浴室洗浄装置３０は、浴室Ａ内の洗浄を行う装置である。浴室洗浄装置３０は、ノズル３２と、浴室洗浄コントローラ３４と、を備える。ノズル３２は、熱源機１０から供給される水、又は、浴室洗浄装置３０内に準備されている洗浄液を、浴室Ａ内に散布する。
【００２１】
浴室洗浄コントローラ３４は、浴室洗浄装置３０の動作を制御することで、浴室洗浄運転を実行する。浴室洗浄コントローラ３４は、熱源機コントローラ１２と通信可能である。浴室洗浄コントローラ３４と熱源機コントローラ１２が協調して制御を行うことで、浴室洗浄運転が実行される。
【００２２】
（浴室洗浄運転）
浴室洗浄コントローラ３４は、浴室洗浄装置３０内に準備されている洗浄液を、ノズル３２を介して、浴室Ａ内に散布する。浴室洗浄コントローラ３４は、熱源機コントローラ１２に、浴室洗浄装置３０に水を供給させるための指示を送信する。浴室洗浄コントローラ３４は、熱源機１０から供給される水を、ノズル３２を介して、浴室Ａ内に散布する。
【００２３】
（浴室乾燥装置４０の構成）
浴室乾燥装置４０は、浴室Ａ内の空調を行う装置である。浴室乾燥装置４０は、可変ルーバ４２と、ミストノズル４４と、浴室Ａ内の湿度を検知する湿度センサ４６と、浴室乾燥コントローラ４８と、を備える。なお、湿度センサ４６は、浴室Ａ内に設置されていれば、浴室乾燥装置４０とは異なる装置、例えば、浴室洗浄装置３０や浴室リモコン８０が備えていてもよい。
【００２４】
可変ルーバ４２は、モータ（図示省略）によって駆動され、浴室Ａ内に送風される空気の風向きを変更可能である。ミストノズル４４は、ミスト状の水を浴室Ａ内に噴霧する。
【００２５】
浴室乾燥コントローラ４８は、浴室乾燥装置４０の各構成要素の動作を制御する。浴室乾燥コントローラ４８は、熱源機コントローラ１２と通信可能である。浴室乾燥コントローラ４８と熱源機コントローラ１２が協調して制御を行うことで、衣類乾燥運転及びミスト運転が実行される。
【００２６】
（衣類乾燥運転）
衣類乾燥運転は、浴室Ａ内の空気を乾燥させ、浴室Ａ内の衣類Ｃに含まれる水分を蒸発させるための運転である。
【００２７】
浴室乾燥コントローラ４８は、熱源機コントローラ１２に、浴室乾燥装置４０に温水を供給させるための指示を送信する。この場合、熱源機コントローラ１２は、給水源から供給される水を加熱し、温水を浴室乾燥装置４０に供給する。浴室乾燥コントローラ４８は、浴室乾燥装置４０の空気循環装置（図示省略）を駆動させる。これにより、浴室Ａ内の空気が浴室乾燥装置４０に吸入され、吸入された空気は、熱源機１０から供給される温水の熱によって加熱される。加熱された空気は、浴室Ａ内に導入される。加熱された空気が浴室Ａ内に導入されることによって、衣類Ｃ内の水分の蒸発が促進される。また、浴室乾燥コントローラ４８は、換気装置（図示省略）を駆動させて、浴室Ａ内の空気を浴室Ａ外に排気し、浴室Ａ外の空気を浴室Ａ内に吸気する。これによって、浴室Ａ内の湿度が高い空気が浴室Ａ外に排気され、浴室Ａ外の湿度が低い空気が浴室Ａ内に吸気される。
【００２８】
浴室乾燥コントローラ４８は、衣類乾燥運転が終了する場合に、衣類乾燥運転が終了したことを示す終了情報を熱源機コントローラ１２に送信する。終了情報は、ユーザの指示によって衣類乾燥運転が終了したことを示す手動終了情報と、ユーザによって設定された運転時間が経過したことで自動的に衣類乾燥運転が終了したことを示す自動終了情報と、のうちのいずれかである。なお、以下では、手動終了情報と自動終了情報を総称して、終了情報と呼ぶ。
【００２９】
（ミスト運転）
ミスト運転は、浴室Ａ内にミスト状の水を噴霧する運転である。浴室乾燥コントローラ４８は、熱源機コントローラ１２に、浴室乾燥装置４０に水を供給させるための指示を送信する。浴室乾燥コントローラ４８は、熱源機１０から供給される水を、ミストノズル４４を介して、浴室Ａ内に噴霧する。
【００３０】
（浴槽洗浄装置５０の構成）
浴槽洗浄装置５０は、浴槽７０の洗浄を行う装置である。浴槽洗浄装置５０は、浴槽洗浄コントローラ５２を備える。浴槽洗浄コントローラ５２は、浴槽洗浄装置５０の動作を制御する。浴槽洗浄コントローラ５２は、熱源機コントローラ１２と通信可能である。浴槽洗浄コントローラ５２と熱源機コントローラ１２が協調して制御を行うことで、浴槽洗浄運転が実行される。
【００３１】
（浴槽洗浄運転）
浴槽洗浄コントローラ５２は、浴槽７０の下部に設けられている浴槽ノズル７２を介して、浴槽洗浄装置５０内に準備されている洗浄液を浴槽７０内に散布する。浴槽洗浄コントローラ５２は、熱源機コントローラ１２に、浴槽洗浄装置５０に水を供給させるための指示を送信する。浴槽洗浄コントローラ５２は、熱源機１０から供給される水を、浴槽ノズル７２を介して、浴槽７０内に散布する。
【００３２】
（リモコン８０、９０、９２の構成）
各リモコン８０、９０、９２は、ユーザからの各種の操作入力を受け付ける。浴室リモコン８０は、浴室Ａに設けられており、浴室外リモコン９０、９２は、洗面室Ｂに設けられている。
【００３３】
浴室リモコン８０は、熱源機コントローラ１２と通信可能である。ユーザは、浴室リモコン８０を操作することで、熱源機コントローラ１２に湯張り運転等を実行させることができる。また、浴室リモコン８０は、熱源機コントローラ１２を介して、浴槽洗浄装置５０と通信可能である。ユーザは、浴室リモコン８０を操作することで、浴槽洗浄装置５０に浴槽洗浄運転等を実行させることができる。
【００３４】
第１の浴室外リモコン９０は、浴室乾燥コントローラ４８と通信可能である。ユーザは、第１の浴室外リモコン９０を操作することで、浴室乾燥装置４０に衣類乾燥運転、ミスト運転等を実行させることができる。また、第１の浴室外リモコン９０は、浴室乾燥コントローラ４８を介して、浴室洗浄コントローラ３４と通信可能である。ユーザは、第１の浴室外リモコン９０を操作することで、浴室洗浄装置３０に浴室洗浄運転を実行させることができる。
【００３５】
第２の浴室外リモコン９２は、熱源機コントローラ１２と通信可能である。また、第２の浴室外リモコン９２は、インターネット１１０にアクセス可能である。ユーザは、第２の浴室外リモコン９２を操作することで、熱源機コントローラ１２に湯張り運転等を実行させることができる。また、第２の浴室外リモコン９２は、熱源機コントローラ１２を介して、浴室洗浄装置３０、浴室乾燥装置４０、浴槽洗浄装置５０と通信可能である。
【００３６】
（携帯端末２００の構成）
携帯端末２００は、携帯電話、スマートフォン等の可搬型の端末装置である。携帯端末２００は、インターネット１１０にアクセスすることができる。携帯端末２００は、表示部２０２と、端末コントローラ２１０と、を備える。表示部２０２は、様々な情報を表示するためのディスプレイであり、いわゆるタッチパネル（即ち操作部）としても機能する。端末コントローラ２１０は、携帯端末２００の動作を制御する。また、端末コントローラ２１０は、メモリ２１２を備える。メモリ２１２には、浴室アプリ２１４が格納されている。浴室アプリ２１４は、例えば、インターネット１１０上のサーバ（図示省略）から携帯端末２００にインストールされる。浴室アプリ２１４は、後述の図５の処理を携帯端末２００に実行させるためのアプリケーションである。
【００３７】
（浴室乾燥装置４０が実行する処理；図２）
図２を参照して、浴室乾燥装置４０の浴室乾燥コントローラ４８によって実行される処理について説明する。浴室乾燥コントローラ４８は、ユーザによって浴室制御システム４の電源をＯＮにするための操作が実行される場合に、図２の処理を開始する。
【００３８】
Ｓ１０において、浴室乾燥コントローラ４８は、湿度センサ４６によって検出される湿度を熱源機１０に送信する。
【００３９】
Ｓ１２において、浴室乾燥コントローラ４８は、開始指示を受信したのか否かを判断する。開始指示は、浴室乾燥装置４０に衣類乾燥運転を開始させるための指示である。開始指示は、ユーザによって乾燥運転開始操作が第１の浴室外リモコン９０に実行されると、第１の浴室外リモコン９０から浴室乾燥コントローラ４８に送信される。浴室乾燥コントローラ４８は、開始指示を受信する場合に、Ｓ１２でＹＥＳと判断し、処理はＳ１４に進む。一方、浴室乾燥コントローラ４８は、開始指示を受信しない場合に、Ｓ１２でＮＯと判断し、処理はＳ１０に戻る。浴室乾燥コントローラ４８は、開始指示を受信するまでの間、所定周期毎に、浴室Ａ内の湿度を熱源機１０に送信する。
【００４０】
Ｓ１４において、浴室乾燥コントローラ４８は、終了情報消去指示を熱源機１０に送信する。終了情報消去指示は、熱源機１０のメモリ１４内に保存されている終了情報を消去させるための指示である。
【００４１】
Ｓ１６において、浴室乾燥コントローラ４８は、衣類乾燥運転を開始する。
【００４２】
Ｓ２０において、浴室乾燥コントローラ４８は、終了指示を第１の浴室外リモコン９０から受信することを監視する。終了指示は、浴室乾燥装置４０に衣類乾燥運転を終了させるための指示である。終了指示は、ユーザによって乾燥運転終了操作が第１の浴室外リモコン９０に実行されると、第１の浴室外リモコン９０から浴室乾燥コントローラ４８に送信される。浴室乾燥コントローラ４８は、終了指示を受信する場合に、Ｓ２０でＹＥＳと判断し、処理はＳ２２に進む。Ｓ２２でＹＥＳと判断される場合、その後に、浴室Ａ内の衣類Ｃがユーザによって取り出される可能性が高い。
【００４３】
Ｓ２２において、浴室乾燥コントローラ４８は、衣類乾燥運転を終了する。そして、Ｓ２４において、浴室乾燥コントローラ４８は、手動終了情報を熱源機１０に送信する。
【００４４】
また、浴室乾燥コントローラ４８は、Ｓ２０の監視と同時的に、Ｓ３０において、ユーザによって設定された運転時間が経過することを監視する。浴室乾燥コントローラ４８は、運転時間が経過する場合に、Ｓ３０でＹＥＳと判断し、処理はＳ３２に進む。
【００４５】
Ｓ３２において、浴室乾燥コントローラ４８は、衣類乾燥運転を終了する。そして、Ｓ３４において、浴室乾燥コントローラ４８は、自動終了情報を熱源機１０に送信する。
【００４６】
（熱源機１０が実行する処理；図３、図４）
続いて、図３、図４を参照して、熱源機１０の熱源機コントローラ１２によって実行される処理について説明する。熱源機コントローラ１２は、ユーザによって浴室制御システム４の電源をＯＮにするための操作が実行される場合に、図３の処理を開始する。
【００４７】
Ｓ４０において、熱源機コントローラ１２は、湿度を浴室乾燥装置４０から受信する。
【００４８】
Ｓ５０において、熱源機コントローラ１２は、終了情報消去指示を浴室乾燥装置４０から受信することを監視する。熱源機コントローラ１２は、終了情報消去指示を受信する場合に、Ｓ５０でＹＥＳと判断し、処理はＳ５２に進む。
【００４９】
Ｓ５２において、熱源機コントローラ１２は、メモリ１４に記憶されている終了情報を消去する。Ｓ５２が終了すると、処理はＳ４０に戻る。なお、メモリ１４に終了情報が保存されていない場合、熱源機コントローラ１２は、Ｓ５２の処理を省略して、処理はＳ４０に戻る。
【００５０】
また、熱源機コントローラ１２は、Ｓ５０の監視と同時的に、Ｓ６０において、終了情報を浴室乾燥装置４０から受信することを監視する、熱源機コントローラ１２は、終了情報を受信する場合に、Ｓ６０でＹＥＳと判断し、処理はＳ６２に進む。
【００５１】
Ｓ６２において、熱源機コントローラ１２は、Ｓ６０で受信した終了情報をメモリ１４に保存する。
【００５２】
また、熱源機コントローラ１２は、Ｓ５０及びＳ６０の監視と同時的に、Ｓ７０において、第１の湯張り指示を携帯端末２００から受信することを監視する。第１の湯張り指示は、熱源機１０に湯張り運転を実行させるための指示である。熱源機コントローラ１２は、第１の湯張り指示を受信する場合に、Ｓ７０でＹＥＳと判断し、Ｓ７２において、湯張り運転処理を実行する。
【００５３】
図４を参照して、Ｓ７２の湯張り運転処理で実行される処理について説明する。Ｓ８０において、熱源機コントローラ１２は、終了情報がメモリ１４に保存されているのか否かを判断する。熱源機コントローラ１２は、終了情報がメモリ１４に保存されている場合に、Ｓ８０でＹＥＳと判断し、処理はＳ８２に進む。一方、熱源機コントローラ１２は、終了情報がメモリ１４に保存されていない場合に、Ｓ８０でＮＯと判断し、処理はＳ１１０に進む。
【００５４】
Ｓ８２において、熱源機コントローラ１２は、メモリ１４に保存されている終了情報が手動終了情報であるのか否かを判断する。熱源機コントローラ１２は、手動終了情報がメモリ１４に保存されている場合に、Ｓ８２でＹＥＳと判断し、処理はＳ８４に進む。一方、熱源機コントローラ１２は、自動終了情報がメモリ１４に保存されている場合に、Ｓ８２でＮＯと判断し、処理はＳ１００に進む。
【００５５】
Ｓ８４において、熱源機コントローラ１２は、手動終了情報を受信してから第１の湯張り指示を受信するまでの間に取得した湿度の最大湿度が、所定湿度を超えているのか否かを判断する。熱源機コントローラ１２は、最大湿度が所定湿度以下であると判断する場合に、Ｓ８４でＮＯと判断し、処理はＳ９０に進む。一方、熱源機コントローラ１２は、最大湿度が所定湿度を超えていると判断する場合に、Ｓ８４でＹＥＳと判断し、処理はＳ１００に進む。
【００５６】
Ｓ９０において、熱源機コントローラ１２は、熱源機１０を駆動させて、湯張り運転を開始する。そして、Ｓ９２において、熱源機コントローラ１２は、湯張り運転が完了することを監視する。熱源機コントローラ１２は、湯張り運転が完了したと判断する場合に、Ｓ９２でＹＥＳと判断し、図４の処理を終了する。図４の処理が終了すると、処理は図３のＳ４０に戻る。
【００５７】
また、熱源機コントローラ１２は、Ｓ１００において、浴室Ａ内に衣類Ｃが存在している可能性があることを示す衣類存在情報を携帯端末２００に送信する。
【００５８】
Ｓ１０２において、熱源機コントローラ１２は、第２の湯張り指示を携帯端末２００から受信したのか否かを判断する。第２の湯張り指示は、浴室Ａ内に衣類Ｃが存在している可能性があるにも関わらず、熱源機１０に湯張り運転を実行させるための指示である。熱源機コントローラ１２は、第２の湯張り指示を受信する場合に、Ｓ１０２でＹＥＳと判断し、Ｓ９０において、湯張り運転を開始する。一方、熱源機コントローラ１２は、第２の湯張り指示を受信しない場合に、Ｓ１０２でＮＯと判断し、図４の処理を終了する。なお、第２の湯張り指示を受信しない場合とは、湯張り中止指示を携帯端末２００から受信した場合である。この場合、熱源機コントローラ１２は、湯張り運転を実行しない。
【００５９】
また、Ｓ１１０において、熱源機コントローラ１２は、衣類乾燥運転を実行中であることを示す乾燥運転情報を携帯端末２００に送信する。
【００６０】
（携帯端末２００が実行する処理；図５）
続いて、図５を参照して、携帯端末２００の端末コントローラ２１０が浴室アプリ２１４に従って実行する処理について説明する。浴室アプリ２１４を起動させるための操作が表示部２０２に実行される場合に、端末コントローラ２１０は、図５の処理を開始する。
【００６１】
Ｓ１２０において、端末コントローラ２１０は、第１の湯張り実行操作がユーザによって表示部２０２に実行されることを監視する。第１の湯張り実行操作は、端末コントローラ２１０に、第２の浴室外リモコン９２を介して、第１の湯張り指示を熱源機１０に送信させるための指示である。端末コントローラ２１０は、第１の湯張り実行操作が実行されると、Ｓ１２０でＹＥＳと判断し、処理はＳ１２２に進む。なお、第１の湯張り実行操作が実行される際に、携帯端末２００のユーザは、浴室Ａ内に衣類Ｃが存在しているのか否かを知らない可能性が高い。
【００６２】
Ｓ１２２において、端末コントローラ２１０は、第２の浴室外リモコン９２を介して、第１の湯張り指示を熱源機１０に送信する。
【００６３】
Ｓ１２４において、端末コントローラ２１０は、第２の浴室外リモコン９２を介して、衣類存在情報又は乾燥運転情報を熱源機１０から受信したのか否かを判断する。端末コントローラ２１０は、衣類存在情報又は乾燥運転情報を受信する場合に、Ｓ１２４でＹＥＳと判断し、処理はＳ１３０に進む。一方、端末コントローラ２１０は、衣類存在情報及び乾燥運転情報を受信しない場合に、Ｓ１２４でＮＯと判断し、処理はＳ１２０に戻る。なお、衣類存在情報及び乾燥運転情報を受信しない場合とは、熱源機１０によって湯張り運転が実行される場合である。
【００６４】
Ｓ１３０において、端末コントローラ２１０は、湯張り選択画面を表示部２０２に表示させる。湯張り選択画面は、浴室Ａ内に衣類Ｃが存在している可能性があることを示すとともに、それでも湯張り運転を実行するのか否かをユーザに選択させるための画面である。従って、ユーザは、湯張り運転が実行される前に、浴室Ａ内に衣類Ｃが存在している可能性があることを知ることができる。
【００６５】
Ｓ１４０において、端末コントローラ２１０は、第２の湯張り実行操作がユーザによって表示部２０２に実行されることを監視する。第２の湯張り実行操作は、端末コントローラ２１０に、第２の浴室外リモコン９２を介して、第２の湯張り指示を熱源機１０に送信させるための操作である。端末コントローラ２１０は、第２の湯張り実行操作が実行されると、Ｓ１４０でＹＥＳと判断し、処理はＳ１４２に進む。
【００６６】
Ｓ１４２において、端末コントローラ２１０は、第２の浴室外リモコン９２を介して、第２の湯張り指示を熱源機１０に送信する。これにより、浴室Ａ内に衣類Ｃが存在している可能性がある状況において、熱源機１０は、湯張り運転を開始する。Ｓ１４２が終了すると、処理はＳ１２０に戻る。
【００６７】
また、端末コントローラ２１０は、Ｓ１４０の監視と同時的に、Ｓ１５０において、湯張り中止操作がユーザによって表示部２０２に実行されることを監視する。湯張り中止操作は、端末コントローラ２１０に、第２の浴室外リモコン９２を介して、湯張り中止指示を熱源機１０に送信させるための操作である。端末コントローラ２１０は、湯張り中止操作が実行されると、Ｓ１５０でＹＥＳと判断し、処理はＳ１５２に進む。
【００６８】
Ｓ１５２において、端末コントローラ２１０は、第２の浴室外リモコン９２を介して、湯張り中止指示を熱源機１０に送信する。この場合、熱源機１０は、湯張り運転を実行しない。Ｓ１５２が終了すると、処理はＳ１２０に戻る。
【００６９】
また、端末コントローラ２１０は、Ｓ１４０及びＳ１５０の監視と同時的に、Ｓ１６０において、湯張り選択画面を表示部２０２に表示してから所定時間が経過することを監視する。端末コントローラ２１０は、第２の湯張り実行操作又は湯張り中止操作がユーザによって実行されることなく所定時間が経過する場合に、Ｓ１６０でＹＥＳと判断し、処理はＳ１５２に進む。
【００７０】
（具体的なケース）
続いて、図６、図７を参照して、図２〜図５の処理によって実現される具体的なケースＡ、Ｂについて説明する。
【００７１】
（ケースＡ；図６）
図６の初期状態において、熱源機１０には、自動終了情報が保存されている。本ケースでは、衣類乾燥運転が自動終了する状況を想定している。
【００７２】
ユーザ（以下では、「第１のユーザ」と呼ぶ）は、浴室Ａ内に衣類Ｃを配置すると、Ｔ１０において、乾燥運転開始操作を第１の浴室外リモコン９０に実行する。ユーザは、乾燥運転開始操作において、衣類乾燥運転の運転時間を設定する。第１の浴室外リモコン９０は、Ｔ１２において、開始指示を浴室乾燥装置４０に送信する。
【００７３】
浴室乾燥装置４０は、Ｔ１２において、開始指示を第１の浴室外リモコン９０から受信すると（図２のＳ１０でＹＥＳ）、Ｔ１４において、終了情報消去指示を熱源機１０に送信し（Ｓ１４）、Ｔ１６において、衣類乾燥運転を開始する（Ｓ１６）。
【００７４】
熱源機１０は、Ｔ１４において、終了情報消去指示を浴室乾燥装置４０から受信すると（図３のＳ５０でＹＥＳ）、Ｔ１８において、メモリ１４内の自動終了情報を消去する（Ｓ５２）。
【００７５】
浴室乾燥装置４０は、衣類乾燥運転を開始してから第１のユーザによって設定された運転時間が経過すると（図２のＳ３０でＹＥＳ）、Ｔ２０において、衣類乾燥運転を自動終了する（Ｓ３２）。そして、浴室乾燥装置４０は、Ｔ２２において、自動終了情報を熱源機１０に送信する（Ｓ３４）。
【００７６】
熱源機１０は、Ｔ２２において、自動終了情報を浴室乾燥装置４０から受信すると（図３のＳ６０でＹＥＳ）、Ｔ２４において、自動終了情報をメモリ１４に保存する（Ｓ６２）。本ケースでは、衣類乾燥運転が終了してから後述のＴ４０の間に、浴室Ａ内の衣類Ｃが取り出されない状況を想定している。
【００７７】
Ｔ３０において、熱源機１０は、浴室乾燥装置４０から湿度を受信する（図３のＳ４０）。また、上述のように、熱源機１０は、所定周期毎に、Ｔ３０と同様に浴室乾燥装置４０から湿度を受信する。
【００７８】
携帯端末２００は、Ｔ４０において、第１のユーザとは異なるユーザ（以下では、「第２のユーザ」と呼ぶ）によって第１の湯張り実行操作が実行されることに応じて（図５のＳ１２０でＹＥＳ）、Ｔ４２において、第１の湯張り指示を熱源機１０に送信する（Ｓ１２２）。
【００７９】
熱源機１０は、Ｔ４２において、第１の湯張り指示を携帯端末２００から受信すると（図３のＳ７０でＹＥＳ）、自動終了情報がメモリ１４に保存されていると判断し（図４のＳ８０でＹＥＳ、Ｓ８２でＮＯ）、Ｔ５０において、衣類存在情報を携帯端末２００に送信する（Ｓ１００）。
【００８０】
携帯端末２００は、Ｔ５０において、衣類存在情報を熱源機１０から受信すると（図５のＳ１２４でＹＥＳ）、Ｔ５２において、湯張り選択画面を表示部２０２に表示する（Ｓ１３０）。そして、携帯端末２００は、Ｔ６０において、ユーザによって湯張り中止操作が実行されることに応じて（Ｓ１５０でＹＥＳ）、Ｔ６２において、湯張り中止指示を熱源機１０に送信する（Ｓ１５２）。
【００８１】
熱源機１０は、Ｔ６２において、湯張り中止指示を携帯端末２００から受信すると（図５のＳ１０２でＮＯ）、湯張り運転を実行しない。従って、浴室Ａ内に衣類Ｃが存在している状況において、湯張り運転が実行されることを防止することができる。
【００８２】
（ケースＢ；図７）
図７の初期状態は、図６の初期状態と同様である。本ケースでは、衣類乾燥運転がユーザによる乾燥運転終了操作によって終了される状況を想定している。
【００８３】
Ｔ１１０〜Ｔ１１８は、図６のＴ１０〜Ｔ１８と同様である。第１のユーザは、浴室乾燥装置４０が衣類乾燥運転を開始してから運転時間が経過する前に、Ｔ１２０において、乾燥運転終了操作を第１の浴室外リモコン９０に実行する。第１の浴室外リモコン９０は、Ｔ１２２において、終了指示を浴室乾燥装置４０に送信する。
【００８４】
浴室乾燥装置４０は、Ｔ１２２において、終了指示を第１の浴室外リモコン９０から受信すると（図２のＳ２０でＹＥＳ）、Ｔ１２４において、衣類乾燥運転を終了し（Ｓ２２）、Ｔ１２６において、手動終了情報を熱源機１０に送信する（Ｓ２４）。
【００８５】
熱源機１０は、Ｔ１２６において、手動終了情報を受信すると（図３のＳ６０でＹＥＳ）、Ｔ１２８において、手動終了情報をメモリ１４に保存する（Ｓ６２）。Ｔ１３０は、図６のＴ３０と同様である。本ケースでは、Ｔ１２８〜Ｔ１４０の間に熱源機１０が受信する湿度の最大湿度が、所定湿度を超える状況を想定している。即ち、未乾燥状態の衣類Ｃが浴室Ａに放置されている状況である。
【００８６】
Ｔ１４０、Ｔ１４２は、図６のＴ４０、Ｔ４２と同様である。
【００８７】
熱源機１０は、Ｔ１４２において、第１の湯張り指示を受信すると（図３のＳ７０でＹＥＳ）、手動終了情報がメモリ１４に保存されており（図４のＳ８０及びＳ８２でＹＥＳ）、最大湿度が所定湿度を超えていると判断し（Ｓ８４でＹＥＳ）、Ｔ１５０において、衣類存在情報を携帯端末２００に送信する（Ｓ１００）。Ｔ１５２〜Ｔ１６２は、図６のＴ５２〜Ｔ６２と同様である。本ケースでも、浴室Ａ内に衣類Ｃが存在している状況において、湯張り運転が実行されることを防止することができる。
【００８８】
上述のように、熱源機コントローラ１２は、終了情報が記憶されている状態において、携帯端末２００から第１の湯張り指示を受信する場合に、湯張り運転を実行することなく、衣類存在情報を携帯端末２００に送信する。このため、携帯端末２００のユーザは、湯張り運転が実行される前に、浴室Ａ内に衣類Ｃが存在する可能性があることを知ることができる。従って、浴室Ａ内に衣類Ｃが存在する可能性がある状況で、湯張り運転が実行されることを抑制することができる。
【００８９】
ユーザの乾燥運転終了操作に応じて衣類乾燥運転が終了した場合、当該ユーザによって浴室Ａ内の衣類Ｃが取り出される可能性が高い。即ち、手動終了が熱源機コントローラ１２に記憶されている場合、浴室Ａ内に衣類Ｃが放置されている可能性は比較的に低い。上記の構成によると、熱源機コントローラ１２は、浴室Ａ内に衣類Ｃが放置されている可能性が低いことを示す手動終了情報が記憶されている状態において、携帯端末２００から第１の湯張り実行指示を受信する場合に、湯張り運転を実行する。従って、浴室Ａ内に衣類Ｃが存在している可能性が低い場合は、衣類存在情報が携帯端末２００に送信されることなく、湯張り運転が実行される。これにより、ユーザの利便性を向上させることができる。
【００９０】
ユーザの乾燥運転終了操作に応じて衣類乾燥運転が終了した場合において、当該ユーザによって浴室Ａ内の衣類Ｃが取り出されない場合もある。例えば、浴室Ａ内の衣類Ｃの乾燥が完了する前に、衣類乾燥運転を終了させ、浴室Ａ内で自然乾燥させる場合である。この場合、衣類Ｃが自然乾燥する過程で、浴室Ａ内の湿度が高くなる。このため、熱源機コントローラ１２は、浴室Ａ内の湿度が所定湿度を超えている場合に、浴室Ａ内に衣類Ｃが存在している可能性があると判断することができる。上記の構成によると、熱源機コントローラ１２は、手動終了情報が記憶されている状態において、携帯端末２００から運転要求を受信し、かつ、手動終了情報を受信してから運転要求を受信するまでの間に受信した湿度の最大湿度が所定湿度を超えていたと判断する場合に、湯張り運転を実行することなく、衣類存在情報を携帯端末２００に送信する。従って、手動終了情報が記憶されている場合であっても、浴室Ａ内に衣類Ｃが存在している可能性がある場合に、浴室運転が実行されることを抑制することができる。
【００９１】
（対応関係）
熱源機１０、湿度センサ４６が、それぞれ、「浴室装置」、「湿度検知部」の一例である。熱源機コントローラ１２及び浴室乾燥コントローラ４８が、「コントローラ」の一例である。湯張り運転が、「浴室運転」の一例である。第１の湯張り指示が、「運転要求」の一例である。浴槽７０が「温水利用箇所」の一例である。手動終了情報、自動終了情報が、それぞれ、「第１の終了情報」、「第２の終了情報」の一例である。運転時間を経過することが、「終了条件」の一例である。
【００９２】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。
【００９３】
（変形例１）「浴室装置」は、浴室洗浄装置３０であってもよい。この場合、浴室洗浄運転が、「浴室運転」の一例である。「浴室装置」は、浴槽洗浄装置５０であってもよい。この場合、浴槽洗浄運転が、「浴室運転」の一例である。「浴室装置」は、浴室乾燥装置４０であってもよい。この場合、ミスト運転が、「浴室運転」の一例である。
【００９４】
（変形例２）終了情報が、自動終了情報と手動終了情報に区別されていなくてもよい。この場合、浴室乾燥コントローラ４８は、図２のＳ２０〜Ｓ３４の処理に代えて、衣類乾燥運転が終了することを監視し、衣類乾燥運転が終了する場合に、終了情報を熱源機１０に送信すればよい。そして、熱源機コントローラ１２は、図４のＳ８０でＹＥＳと判断される場合に、Ｓ１００において、衣類存在情報を携帯端末２００に送信し、Ｓ１０２でＹＥＳと判断する場合に、Ｓ９０において、湯張り運転を開始すればよい。即ち、図４のＳ８２、Ｓ８４の処理を省略可能である。
【００９５】
（変形例３）浴室乾燥装置４０は、湿度センサ４６を備えていなくてもよい。この場合、図２のＳ１０、図３のＳ４０、図４のＳ８４を省略可能である。
【００９６】
（変形例４）上記の実施例では、浴室制御システム４の各装置が、それぞれ、コントローラを備えている。浴室制御システム４が１個のメインコントローラを備えている構成であってもよい。この場合、メインコントローラは、熱源機１０、浴室洗浄装置３０、浴室乾燥装置４０、浴槽洗浄装置５０の動作を制御するように構成されていればよい。
【００９７】
（変形例５）熱源機コントローラ１２が、第２の浴室外リモコン９２を介さずに、インターネット１１０にアクセス可能であってもよい。
【００９８】
（変形例６）熱源機１０とは異なる装置から、浴室洗浄装置３０、浴室乾燥装置４０、及び、浴槽洗浄装置５０に、水又は温水が供給されてもよい。
【００９９】
（変形例７）浴室乾燥コントローラ４８は、浴室内Ａの衣類Ｃの乾燥状態、即ち、湿度の情報を利用して、衣類乾燥運転を終了するのか否かを判断してもよい。本変形例では、衣類Ｃの乾燥状態が、「終了条件」の一例である。
【０１００】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【０１０１】
２      ：浴室システム
４      ：浴室制御システム
１０    ：熱源機
１２    ：熱源機コントローラ
１４    ：メモリ
３０    ：浴室洗浄装置
３２    ：ノズル
３４    ：浴室洗浄コントローラ
４０    ：浴室乾燥装置
４２    ：可変ルーバ
４４    ：ミストノズル
４６    ：湿度センサ
４８    ：浴室乾燥コントローラ
５０    ：浴槽洗浄装置
５２    ：浴槽洗浄コントローラ
７０    ：浴槽
７２    ：浴槽ノズル
８０    ：浴室リモコン
９０    ：第１の浴室外リモコン
９２    ：第２の浴室外リモコン
１１０  ：インターネット
２００  ：携帯端末
２０２  ：表示部
２１０  ：端末コントローラ
２１２  ：メモリ
２１４  ：浴室アプリ
Ａ      ：浴室
Ｂ      ：洗面室
Ｃ      ：衣類
Ｆ      ：カラン
Ｓ      ：シャワー
【図１】
2018200154.tif 000003
【図２】
2018200154.tif 000004
【図３】
2018200154.tif 000005
【図４】
2018200154.tif 000006
【図５】
2018200154.tif 000007
【図６】
2018200154.tif 000008
【図７】
2018200154.tif 000009